(57)【要約】【課題】人為的、操作環境のミスが軽減され、電子装置のデータバックアップ操作の安全性、効率性を向上できる、一種のデータバックアップ装置を提供する。【解決手段】主にメモリ装置を電子装置のデータバックアップ装置とする。該装置は少なくともデータバックアップモジュール、メモリコントローラーを含める。該データバックアップモジュールはインターフェースカードを含め、該インターフェースカードに複数のメモリ装置を設ける。当該メモリ装置をバックアップ用のキャリアとし、かつ、当該メモリ装置は取り外し可能にしてメモリ装置のスロットに挿入される。該メモリコントローラーはデータの格納、読み取り及びバックアップ作業処理に充てる。該メモリ装置により、データ格納容量の素早い拡張を実現する。【選択図】図２
0003146047.tif 000002
【実用新案登録請求の範囲】
【請求項１】
一種のデータバックアップ装置、特にメモリ装置を電子装置のバックアップ装置とするデータバックアップ装置であって、
基板と、起動装置と、メモリコントローラーと、データバックアップモジュールと、データ格納モジュールと、を含み、
マイクロプロセッサー（ＭＣＵ）を、該基板上に取付け、該マイクロプロセッサーは該電子装置の作動制御に備え、
データ格納モジュールを、該マイクロプロセッサーと電気接続し、該電子装置のデータ又はシステムファイル格納に提供し、
データバックアップモジュールを、該マイクロプロセッサーと電気接続し、該格納キャリアはメモリ装置であり、該データバックアップモジュールはインターフェースカードを含め、該インターフェースカード上に少なくとも一つのメモリスロットを設け、該メモリスロットはメモリ装置の挿入に備え、かつ、該メモリ装置は該データバックアップモジュールのデータ及びシステムファイルのバックアップに備え、
メモリコントローラーは、該データバックアップモジュールに取付け、該データバックアップモジュールと電気接続し、データ格納と読み取りを取り扱い、
起動装置は、該マイクロプロセッサーと電気接続し、利用者の操作に備え、該マイクロプロセッサーにより、該メモリコントローラーを駆動して、データバックアップ作業を実行することを特徴とする、
データバックアップ装置。
【請求項２】
データ格納モジュールの格納キャリアはハードディスクであることを特徴とする請求項１記載のデータバックアップ装置。
【請求項３】
該データ格納モジュールの格納キャリアはメモリ装置であって、該データ格納モジュールはインターフェースカードを含め、該インターフェースカード上に少なくとも少なくとも一つのメモリスロットが設けられ、該メモリスロットはメモリ装置の挿入に備え、かつ、該メモリ装置は電子装置のデータ又はシステムファイル格納に提供することを特徴とする請求項１記載のデータバックアップ装置。
【請求項４】
該メモリ装置はＳＤカード、ＣＦカード、ＭＳカード、ＭＭＣカード、ＳＭカード、ＳＡＴＡカード、ＥＳＡＴＡカード、ＰＣＩカード、ＰＣＩ−Ｅカード又はＰＣＭＣＩＡカードなどのフラッシューメモリ規格であることを特徴とする請求項１記載のデータバックアップ装置。
【請求項５】
該メモリコントローラーはＰＣＩ、ＳＡＴＡ、ＥＳＡＴＡ、ＰＣＭＣＩＡなどの伝送プロトコールにサポートできることを特徴とする請求項１記載のデータバックアップ装置。
【請求項６】
該起動装置は、押しボタン又はキーボードあるいはマウスであり、当該キーボードあるいはマウスより該マイクロプロセッサーにデータバックアップ指令を下すことを特徴とする請求項１記載のデータバックアップ装置。
【請求項７】
該起動装置は電子装置のケーシング又は入力装置に取り付けることを特徴とする請求項６記載のデータバックアップ装置。
【請求項８】
該データ格納モジュールとデータバックアップモジュールは同じインターフェースカード上に設けることを特徴とする請求項３記載のデータバックアップ装置。
【請求項９】
基板と、起動装置と、メモリコントローラーと、データバックアップモジュールと、データ格納モジュールと、を含み、
基板は、該基板上にインターフェースカードスロットを設け、
マイクロプロセッサー（ＭＣＵ）を、該基板上に取付け、該マイクロプロセッサーは該電子装置の作動制御に備え、
データ格納モジュールを、該マイクロプロセッサーと電気接続し、該電子装置のデータ又はシステムファイルの格納に提供、
データバックアップモジュールを、該マイクロプロセッサーと電気接続し、該格納キャリアはメモリ装置であり、該データバックアップモジュールはインターフェースカードを含め、該インターフェースカード上に少なくとも一つのメモリスロットを設け、該メモリスロットはメモリ装置の挿入に備え、かつ、該メモリ装置は該データバックアップモジュールのデータ及びシステムファイルのバックアップに備え、
メモリコントローラーは、該基板上に取付け、該データバックアップモジュールと電気接続し、データ格納と読み取りを取り扱い、
起動装置は、該マイクロプロセッサーと電気接続し、利用者の操作に備え、該マイクロプロセッサーにより、該メモリコントローラーを駆動して、データバックアップ作業を実行する、一種のデータバックアップ装置。
【請求項１０】
該データ格納モジュールの格納キャリアはハードディスクであることを特徴とする請求項９記載のデータバックアップ装置。
【請求項１１】
該データ格納モジュールの格納キャリアはメモリ装置であって、該データ格納モジュールはインターフェースカードを含め、該インターフェースカード上に少なくとも少なくとも一つのメモリスロットが設けられ、該メモリスロットはメモリ装置の挿入に備え、かつ、該メモリ装置は電子装置のデータ又はシステムファイル格納に提供することを特徴とする請求項９記載のデータバックアップ装置。
【請求項１２】
該メモリ装置はＳＤカード、ＣＦカード、ＭＳカード、ＭＭＣカード、ＳＭカード、ＳＡＴＡカード、ＥＳＡＴＡカード、ＰＣＩカード、ＰＣＩ-Eカード又はＰＣＭＣＩＡカードなどのフラッシューメモリ規格であることを特徴とする請求項９記載のデータバックアップ装置。
【請求項１３】
該メモリ装置はＳＤカード、ＣＦカード、ＭＳカード、ＭＭＣカード、ＳＭカード、ＳＡＴＡカード、ＥＳＡＴＡカード、ＰＣＩカード、ＰＣＩ−Ｅカード又はＰＣＭＣＩＡカードなどのフラッシューメモリ規格であることを特徴とする請求項１０記載のデータバックアップ装置。
【請求項１４】
該メモリコントローラーはＰＣＩ、ＳＡＴＡ、ＥＳＡＴＡ、ＰＣＭＣＩＡなどの伝送プロトコールにサポートできることを特徴とする請求項９記載のデータバックアップ装置。
【請求項１５】
該起動装置は、押しボタン又はキーボードあるいはマウスであり、当該キーボードあるいはマウスより該マイクロプロセッサーにデータバックアップ指令を下すことを特徴とする請求項９記載のデータバックアップ装置。
【請求項１６】
該起動装置は電子装置のケーシング又は入力装置に取り付けることを特徴とする請求項１５記載のデータバックアップ装置。
【請求項１７】
該基板上に複数のインターフェースカードスロットを設けることを特徴とする請求項９記載のデータバックアップ装置。
【請求項１８】
該データ格納モジュールとデータバックアップモジュールは同じインターフェースカード上に設けることを特徴とする請求項１７記載のデータバックアップ装置。
【請求項１９】
該データ格納モジュールとデータバックアップモジュールは別々のインターフェースカード上に設けることを特徴とする請求項１７記載のデータバックアップ装置。
【考案の詳細な説明】
【技術分野】
【０００１】
本考案は各種電子装置のデータバックアップ装置であって、人為的、操作環境のミスを有効に軽減し、電子装置バックアップ操作の安全性、効率性を向上できる。
【背景技術】
【０００２】
現在の電子装置１００はパソコン（ＰＣ）、産業用コンピュータ（ＩＰＣ）などに内蔵された保存装置は、主にハードディスクが使用されている。図１にパソコン（ＰＣ）の構成を例示する。該構成に基板９０を有し、該基板９０上にマイクロプロセッサー９１とメモリコントローラー９２を設け、該メモリコントローラー９２は電気回路９３により一つの又は複数のハードディスク９４に接続される。該電気回路９３はＩＤＥ（Ｉｎｔｅｇｒａｔｅｄ  Ｄｅｖｉｃｅ  Ｅｌｅｃｔｒｏｎｉｃ）、ＰＣＩ（Ｐｅｒｉｐｈｅｒａｌ  Ｃｏｍｐｏｎｅｎｔ  Ｉｎｔｅｒｆａｃｅ）、ＳＡＴＡ（Ｓｅｒｉａｌ  ＡＴＡ）などのバス規格にサポートできる。ハードディスク９４の最も重要な役目は、データ及びシステムファイルの格納である。また、安全性を図るため、該ハードディスク９４に格納されたデータは一つ以上のバックアップが行われている。
【考案の開示】
【考案が解決しようとする課題】
【０００３】
公知技術の該ハードディスク９４のバックアップ操作は、格納されるデータ及びシステムファイルをいったんコピー（ｃｏｐｙ）してから、バックアップ用ハードディスク９５に書き戻す。
そのバックアップ操作が煩わしいほか、データ及びシステムファイルコピーにデータロスを引き起こすと、悪い影響を与える。その上、ハードディスクによるバックアップは外部環境の振動などによる破損で、データ破損又ロスの結果になり兼ねない。よって、公知技術のハードディスクによるバックアップ操作は、潜在的又は予期しない危険性が潜んでいる。
【０００４】
既存のハードディスクによるデータ格納とバックアップ操作不便から、フラッシュメモリ（ＦＬＡＳＨ  ＭＥＭＯＲＹ）からなる各種のデータ格納装置、ＳＤ（Ｓｅｃｕｒｅ  Ｄｉｇｉｔａｌ（登録商標））カード、ＣＦカード、ＭＳ（Ｍｅｍｏｒｙ  Ｓｔｉｃｋ）カード、ＭＭＣ（Ｍｕｌｔｉ  ｍｅｄｉａ  Ｃａｒｄ）カード、ＳＭ（Ｓｍａｒｔ  Ｃａｒｄ）カード又はＵＳＢ格納装置などと組み合わせて使用することが良く見受ける。さらに、この種のフラッシューメモリ保存装置は取付け、拡張、バックアップが簡単、熱挿抜可能、高安全性、低発熱のほか、より良い効率と振動防止機能を持つことから、データ格納の常用装置となっている。しかしながら、この種のフラッシューメモリ装置のデータ格納容量が限られているため、主要の保存装置又はバックアップ装置の主流になっていない。現在の電子装置（パソコン、産業用コンピュータなど）は本体パネル上に、各種規格に適合されたカードリーダー（ｃａｒｄ  ｒｅａｄｅｒ）を取り付けるのみである。非常に惜しいことは、現時点この種のフラッシューメモリ装置は単なる携帯用の保存媒体に使用されている。よって、電子装置により良いデータ格納、バックアップ装置の機能性のほか、フラッシューメモリ装置の応用分野を開発することが業界の改良、突破の重要な方向である。
【０００５】
本考案人は、前記した電子装置のデータバックアップ不便の課題と構成設計上が理想でない事実から、その解決方案の研究に着手し、より便利、かつ、高い安全性、効率性のデータバックアップ装置を開発し、社会の大衆及びこの業界の発展に寄与するため、本考案を思案した次第である。
【課題を解決するための手段】
【０００６】
電子装置に設けられたメモリスロットに、メモリ装置を挿入することで、必要に応じてデータ格納容量を増加できる。利用者が起動操作を通じて、メモリコントローラーを駆動し、該データ格納モジュールのバックアップデータをデータバックアップモジュールにバックアップを行うことによって、人為的、操作環境のミスが軽減され、電子装置のデータバックアップ操作の安全性、効率性を向上できる、一種のデータバックアップ装置を提供することを本考案の主な目的とする。
【０００７】
本考案が前記の目的及び効果を達成するための技術手段は、少なくともデータバックアップモジュール、起動装置及びメモリコントローラーを含める。そのうち、該データバックアップモジュールはインターフェースカードを含め、該インターフェースカードに複数のメモリ装置を取付け、当該メモリ装置はバックアップデータ又はシステムファイルを格納するキャリアとし、当該メモリ装置はメモリスロットで移動可能に挿入する。そのうち、該起動装置は利用者の操作に提供される。押しボタン又はキーボードあるいはマウスなどの入力装置より、データバックアップ指令（押しボタンは本体、キーボード又はその他装置の適切な場所に取り付ける又は結合する）を出す。該メモリコントローラーは当該メモリ装置の格納、読み取り及びバックアップ作業を取り扱う。
【０００８】
本考案の技術手段は、さらに基板を含め、該基板は少なくとも一つのインターフェースカードスロットを含め、該インターフェースカードスロットは該データバックアップモジュールのインターフェースカードの挿入に備える。
【考案の効果】
【０００９】
格納データのバックアップ操作は簡単な押しボタンにより、自動バックアップ操作を起動し、機動的にニーズに合わせて、バックアップ操作できるため、バックアップ速度が向上され、人為的、操作環境のミスを軽減し、電子装置バックアップ操作の安全性効率性を向上できる。
【考案を実施するための最良の形態】
【００１０】
本考案の技術、特徴及び達成される効果にさらなるの理解と認識を図るため、好ましい実施例と図式を合わせて、以下のとおり詳細説明する。
【実施例１】
【００１１】
図２に本考案のデータバックアップ装置の実施例１を示す通り、メモリ装置を電子装置１００のデータバックアップ装置とする。主に、基板１０、起動装置２０、メモリコントローラー３０、データバックアップモジュール６０及びデータ格納モジュール７０を含める。そのうち、該基板１０上にマイクロプロセッサー（ＭＣＵ）１５を設ける。該マイクロプロセッサーは電子装置１００の作動制御に提供する。この作動制御は公知技術であり、本考案の重点でないため、ここでの説明を省略する。該起動装置２０は該マイクロプロセッサー１５と電気接続し、利用者が押しボタン又はキーボードあるいはマウス（図しない）などの入力装置より、該マイクロプロセッサー１５にデータバックアップの指令を下す。該押しボタンは本体、キーボード又はその他装置の適切な位置に取り付ける又は結合する。該メモリコントローラー３０は該データバックアップモジュール６０に取付け、電気回路３１により、該マイクロプロセッサー１５と電気接続する。該メモリコントローラー３０は該マイクロプロセッサー１５の指令を受けて、データバックアップ作業が実行される。なお、該メモリコントローラー３０はＰＣＩ（Ｐｅｒｉｐｈｅｒａｌ  Ｃｏｍｐｏｎｅｎｔ  Ｉｎｔｅｒｆａｃｅ）、ＳＡＴＡ（Ｓｅｒｉａｌ  ＡＴＡ）、ＥＳＡＴＡ（Ｅｘｔｅｒｎａｌ  Ｓｅｒｉａｌ  ＡＴＡ）、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）などの伝送プロトコールをサポートできる。
【００１２】
図３を参照する。該データバックアップモジュール６０はさらに、一つ以上のインターフェースカード４１を含め、該インターフェースカード４１上に複数のメモリスロット４２を設け、該メモリスロット４２はメモリ装置４３の挿入に備える。該メモリ装置４３をデータ及びシステムファイルコピー用のキャリアとし、該メモリスロット４２とメモリ装置４３との組み合わせはＳＤ（Ｓｕｐｅｒ  Ｄｅｎｓｉｔｙ，  Ｓｅｃｕｒｅ  Ｄｉｇｉｔａｌ）カード、ＣＦ （Ｃｏｍｐａｃｔ  Ｆｌａｓｈ）カード、ＭＳ（Ｍｅｍｏｒｙ  Ｓｔｉｃｋ）カード、ＭＭＣ（Ｍｕｌｔｉ  ｍｅｄｉａ  Ｃａｒｄ）カード、ＳＭ（Ｓｍａｒｔ  Ｃａｒｄ）カードなど各フラッシューメモリ装置の規格に適合する。該データ格納モジュール７０はハードディスクを該電子装置のデータ及びシステムファイルを格納するためのキャリアとする（図２）。
【００１３】
引き続きに、図２を参照する。利用者が使用するときは、該起動装置２０を操作し、該マイクロプロセッサー１５に指令を出して、該メモリコントローラー３０を駆動し、データバックアップ作業の実行により、該データバックアップモジュール７０に格納されたデータは電気回路３１を介して、該データバックアップモジュール６０のメモリ装置４３にバックアップさせる。
【実施例２】
【００１４】
図４に本考案のデータバックアップ装置の実施例２を示す。実施例１と異なる点は、該データ格納モジュール７０はメモリ装置を該電子装置のデータとシステムファイル格納するキャリアとする。
【実施例３】
【００１５】
図５に本考案のデータバックアップ装置の実施例３を示す。前記の実施例と異なる点は、該メモリコントローラー３０は該基板１０上に取付け、該マイクロプロセッサー１５は起動装置２０、該データバックアップモジュール６０及び該データ格納モジュール７０と電気接続する。利用者が該起動装置２０を操作し、該マイクロプロセッサー１５は該メモリコントローラー３０を駆動して、データバックアップ作業を行い、該データ格納モジュール７０に格納されたデータは電気回路３１経由に該データバックアップモジュール６０のメモリ装置４３にバックアップされる。
【実施例４】
【００１６】
図６に本考案のデータバックアップ装置の実施例４を示す。前記の実施例と異なる点は、該データバックアップモジュール６０を該基板１０上に取付け、電気回路３１により、該メモリコントローラー３０と電気接続する。該基板１０を電子装置１００内部に取り付け、該基板１０上にインターフェースカードスロット１１、１２を設ける。該インターフェースカードスロット１１は該インターフェースカード４１の挿入に提供し、該データ格納モジュール７０と該データバックアップモジュール６０を形成する。該インターフェースカードスロット１１、１２は該電気回路３１、メモリコントローラー３０により、該マイクロプロセッサー１５に接続される。
【００１７】
本考案の電子装置はメモリ装置をデータ格納及び高速バックアップ装置として応用するときは、該メモリ装置を該インターフェースカードのメモリスロットに挿入する。該インターフェースカードに所属のデータ格納モジュールとデータバックアップモジュールの複数のメモリスロット、又はデータ格納モジュールとデータバックアップモジュールそれぞれの複数のメモリスロットが設けられているため、該メモリスロットに挿入されるメモリ装置の数も必要に応じて柔軟に設置できる。後日に格納容量の拡張必要があるときは、残りのメモリスロットにメモリ装置を追加挿入できる。このように、機動的、簡単、便利で該起動装置（押しボタン操作など）の起動により、データバックアップ作業が自動的に行える。さらに、１枚のインターフェースカードのデータバックアップモジュールが使用に間に合わないとき、データバックアップモジュールのインターフェースカードを追加して、格納容量の拡張に提供し、格納容量の拡張ニーズに応えられる。
【００１８】
本考案は内蔵のメモリスロットとメモリ装置とを組み合わせと、電気回路の接続によって、データ格納モジュールとデータバックアップモジュールを構成する。この種の格納データのバックアップ操作は簡単な押しボタンにより、自動バックアップ操作を起動し、機動的にニーズに合わせて、バックアップ操作できるため、バックアップ速度が向上され、人為的、操作環境のミスを軽減し、電子装置バックアップ操作の安全性効率性を向上できる。さらに、ＲｅａｄｙＢｏｏｓｔ  （Ｗｉｎｄｏｗｓ（登録商標）  Ｖｉｓｔａのアクセレーター）と組み合わせて、電子装置（パソコンなど）のシステム応答速度を向上できる。ハードディスク上のデータアクセスより速い方法でメモリをアクセスすることにより、システム稼働又は格納、バックアップ効率を向上できる。
【図面の簡単な説明】
【００１９】
【図１】公知技術のハードディスクバックアップ装置の概略図である。
【図２】本考案の実施例１の装置概略図である。
【図３】本考案の実施例１のデータバックアップモジュールの分解概略図である。
【図４】本考案の実施例２の装置概略図である。
【図５】本考案の実施例３の装置概略図である。
【図６】本考案の実施例４の装置概略図である。
【符号の説明】
【００２０】
１０    基板
１１    インターフェースカードスロット
１５    マイクロプロセッサー
２０    起動装置
３０    メモリコントローラー
３１    電気回路
４１    インターフェースカード
４２    メモリスロット
４３    メモリ装置
６０    データバックアップモジュール
７０    データ格納モジュール
１００  電子装置
【図１】
0003146047.tif 000003
【図２】
0003146047.tif 000004
【図３】
0003146047.tif 000005
【図４】
0003146047.tif 000006
【図５】
0003146047.tif 000007
【図６】
0003146047.tif 000008